(57)【要約】【課題】防犯性を向上しつつ来訪者に留守を知らせる。【解決手段】親機１の制御部１７は、留守モードにおいて顔検出手段（制御部１７）が人の顔を検出する場合と検出しない場合とで互いに異なるメッセージ（留守時用と防犯用の２種類のメッセージ）を子機２に対して送信する。故に、人の顔が検出された場合は留守であることを通知するメッセージを子機２のスピーカ２１から鳴動するが、人の顔が検出されない場合は呼出釦２５ａの操作者（来訪者）を不審者とみなして相手を威嚇するようなメッセージを子機２のスピーカ２１から鳴動すれば、防犯性を向上しつつ来訪者に留守を知らせることができる。【選択図】        図１
2011035727.tif 000002
【特許請求の範囲】
【請求項１】
住戸の外玄関に設置されて来訪者を撮像する撮像装置を具備したインターホン子機と、住戸内に設置されてインターホン子機との間で通話音声を授受するとともにインターホン子機の撮像装置で撮像される映像を表示装置に表示するインターホン親機とを備え、
インターホン子機は、前記撮像装置と、音声を集音するマイクロホンと、音声を鳴動するスピーカと、呼出釦が操作された場合にインターホン親機へ呼出信号を送信する呼出手段とを具備し、呼出手段の呼出釦が操作された場合に撮像装置で撮像される映像をインターホン親機に送信してなり、
インターホン親機は、前記表示装置と、音声を集音するマイクロホンと、音声を鳴動するスピーカと、インターホン子機から呼出信号を受け取ったとき、在宅モードに設定されていれば前記スピーカから呼出音を鳴動し、留守モードに設定されていれば呼出音を鳴動せずにインターホン子機に対してメッセージを送信する制御手段と、留守モードに設定されているときに前記撮像装置で撮像された映像に写っている人の顔を検出する顔検出手段とを具備し、
インターホン子機は、インターホン親機から受け取ったメッセージをスピーカから鳴動して来訪者に通知するインターホンシステムであって、
インターホン親機の制御手段は、留守モードにおいて顔検出手段が人の顔を検出する場合と検出しない場合とで互いに異なるメッセージをインターホン子機に対して送信することを特徴とするインターホンシステム。
【請求項２】
住戸の外玄関に設置されて来訪者を撮像する撮像装置を具備したインターホン子機と、住戸内に設置されてインターホン子機との間で通話音声を授受するとともにインターホン子機の撮像装置で撮像される映像を表示装置に表示するインターホン親機とを備え、
インターホン子機は、前記撮像装置と、音声を集音するマイクロホンと、音声を鳴動するスピーカと、呼出釦が操作された場合にインターホン親機へ呼出信号を送信する呼出手段とを具備し、呼出手段の呼出釦が操作された場合に撮像装置で撮像される映像をインターホン親機に送信してなり、
インターホン親機は、前記表示装置と、音声を集音するマイクロホンと、音声を鳴動するスピーカと、インターホン子機から呼出信号を受け取ったとき、在宅モードに設定されていれば前記スピーカから呼出音を鳴動し、留守モードに設定されていれば呼出音を鳴動せずにインターホン子機に対してメッセージを送信する制御手段と、留守モードに設定されているときに前記撮像装置で撮像された映像に写っている人の顔を検出する顔検出手段とを具備し、
インターホン子機は、インターホン親機から受け取ったメッセージをスピーカから鳴動して来訪者に通知するインターホンシステムであって、
インターホン親機の制御手段は、留守モードにおいて顔検出手段が人の顔を検出した場合には留守を知らせるメッセージをインターホン子機に対して送信し、留守モードにおいて顔検出手段が人の顔を検出しない場合にはメッセージを送信しないことを特徴とするインターホンシステム。
【発明の詳細な説明】
【技術分野】
【０００１】
本発明は、カメラ付きのインターホン子機と、インターホン子機のカメラで撮像された映像を表示するための表示装置を有するインターホン親機とからなるインターホンシステムに関するものである。
【背景技術】
【０００２】
従来、カメラ付きのインターホン子機と、インターホン子機のカメラで撮像された映像を表示するための表示装置を有するインターホン親機とからなるインターホンシステムが種種提供されている（例えば、特許文献１参照）。この種のインターホンシステムにおいては、インターホン子機の呼出釦が操作されたときにカメラが起動して来訪者を撮像し、インターホン親機ではインターホン子機からの呼出に対してスピーカから呼出音を鳴動すると同時に液晶ディスプレイなどの表示装置にインターホン子機のカメラで撮像された映像を表示し、呼出音を聞き且つ表示装置に表示された映像を確認した住人がインターホン親機の通話釦を操作することでインターホン親機とインターホン子機との間に通話路が形成されて通話が可能になる。
【０００３】
また、インターホン親機が留守モード（不在モード）に設定されているときにインターホン子機から呼出信号を受信した場合、インターホン親機から送信する不在通知のメッセージをインターホン子機のスピーカから鳴動して来訪者に留守（不在）を知らせるようにしたインターホンシステムもあった。
【先行技術文献】
【特許文献】
【０００４】
【特許文献１】実開平２−１３８９８３号公報
【発明の概要】
【発明が解決しようとする課題】
【０００５】
しかしながら、上述した従来システムでは、インターホン子機の撮像装置（カメラ）に顔が写らないようにしながら呼出釦を操作する不審者に対してもメッセージを聞かせて留守であることを通知してしまうという防犯上の問題点があった。
【０００６】
本発明は上記事情に鑑みて為されたものであり、その目的は、防犯性を向上しつつ来訪者に留守を知らせることができるインターホンシステムを提供することにある。
【課題を解決するための手段】
【０００７】
請求項１の発明は、上記目的を達成するために、住戸の外玄関に設置されて来訪者を撮像する撮像装置を具備したインターホン子機と、住戸内に設置されてインターホン子機との間で通話音声を授受するとともにインターホン子機の撮像装置で撮像される映像を表示装置に表示するインターホン親機とを備え、インターホン子機は、前記撮像装置と、音声を集音するマイクロホンと、音声を鳴動するスピーカと、呼出釦が操作された場合にインターホン親機へ呼出信号を送信する呼出手段とを具備し、呼出手段の呼出釦が操作された場合に撮像装置で撮像される映像をインターホン親機に送信してなり、インターホン親機は、前記表示装置と、音声を集音するマイクロホンと、音声を鳴動するスピーカと、インターホン子機から呼出信号を受け取ったとき、在宅モードに設定されていれば前記スピーカから呼出音を鳴動し、留守モードに設定されていれば呼出音を鳴動せずにインターホン子機に対してメッセージを送信する制御手段と、留守モードに設定されているときに前記撮像装置で撮像された映像に写っている人の顔を検出する顔検出手段とを具備し、
インターホン子機は、インターホン親機から受け取ったメッセージをスピーカから鳴動して来訪者に通知するインターホンシステムであって、インターホン親機の制御手段は、留守モードにおいて顔検出手段が人の顔を検出する場合と検出しない場合とで互いに異なるメッセージをインターホン子機に対して送信することを特徴とする。
【０００８】
請求項１の発明によれば、インターホン親機の制御手段は、留守モードにおいて顔検出手段が人の顔を検出する場合と検出しない場合とで互いに異なるメッセージをインターホン子機に対して送信するから、例えば、人の顔が検出された場合は留守であることを通知するメッセージをインターホン子機のスピーカから鳴動するが、人の顔が検出されない場合は呼出釦の操作者（来訪者）を不審者とみなして相手を威嚇するようなメッセージをインターホン子機のスピーカから鳴動すれば、防犯性を向上しつつ来訪者に留守を知らせることができる。
【０００９】
請求項２の発明は、上記目的を達成するために、住戸の外玄関に設置されて来訪者を撮像する撮像装置を具備したインターホン子機と、住戸内に設置されてインターホン子機との間で通話音声を授受するとともにインターホン子機の撮像装置で撮像される映像を表示装置に表示するインターホン親機とを備え、インターホン子機は、前記撮像装置と、音声を集音するマイクロホンと、音声を鳴動するスピーカと、呼出釦が操作された場合にインターホン親機へ呼出信号を送信する呼出手段とを具備し、呼出手段の呼出釦が操作された場合に撮像装置で撮像される映像をインターホン親機に送信してなり、インターホン親機は、前記表示装置と、音声を集音するマイクロホンと、音声を鳴動するスピーカと、インターホン子機から呼出信号を受け取ったとき、在宅モードに設定されていれば前記スピーカから呼出音を鳴動し、留守モードに設定されていれば呼出音を鳴動せずにインターホン子機に対してメッセージを送信する制御手段と、留守モードに設定されているときに前記撮像装置で撮像された映像に写っている人の顔を検出する顔検出手段とを具備し、インターホン子機は、インターホン親機から受け取ったメッセージをスピーカから鳴動して来訪者に通知するインターホンシステムであって、インターホン親機の制御手段は、留守モードにおいて顔検出手段が人の顔を検出した場合には留守を知らせるメッセージをインターホン子機に対して送信し、留守モードにおいて顔検出手段が人の顔を検出しない場合にはメッセージを送信しないことを特徴とする。
【００１０】
請求項２の発明によれば、インターホン親機の制御手段は、留守モードにおいて顔検出手段が人の顔を検出した場合には留守を知らせるメッセージをインターホン子機に対して送信し、留守モードにおいて顔検出手段が人の顔を検出しない場合にはメッセージを送信しないので、防犯性を向上しつつ来訪者に留守を知らせることができる。
【発明の効果】
【００１１】
本発明によれば、防犯性を向上しつつ来訪者に留守を知らせることができる。
【図面の簡単な説明】
【００１２】
【図１】本発明の実施形態におけるインターホン親機並びにインターホン子機のブロック図である。
【図２】同上の平面図である。
【図３】同上におけるインターホン親機の動作を説明するためのフローチャートである。
【発明を実施するための形態】
【００１３】
以下、本発明の技術思想を戸建て住宅向けのインターホンシステムに適用した実施形態について、図面を参照して詳細に説明する。
【００１４】
本実施形態のインターホンシステムは、図２に示すように住戸内に設置されるインターホン親機１と、住戸外の外玄関に設置されるインターホン子機２とを備えている。
【００１５】
インターホン子機（以下、子機と略す。）２は、図１に示すようにマイクロホン２０並びにスピーカ２１と、マイクロホン２０から出力する音声信号を符号化し且つ相対的に低い周波数帯域でディジタル変調するとともに信号線Ｌｓを介して伝送される変調された音声信号をディジタル復調し且つ復号してスピーカ２１から音声を鳴動させる通話部２２と、ＣＣＤやＣＭＯＳ等の固体撮像素子とレンズ等の光学系を有し来訪者を撮像する撮像装置２３と、撮像装置２３から出力する映像信号を符号化し且つ音声信号よりも相対的に高い周波数帯域でディジタル変調するとともに変調された映像信号を信号線Ｌｓを介して伝送し、通話部２２から出力する音声信号を映像信号と周波数多重化して信号線Ｌｓに送出するとともに、信号線Ｌｓを介してインターホン親機（以下、親機と略す。）１から伝送される音声信号を分離する通信部２４と、呼出釦２５ａの操作入力を受け付けたときに信号線Ｌｓを介して呼出信号を送信する呼出部２５と、これら各部を収納して外玄関の壁面に設置される箱形の器体２６とを備えている。子機２の器体２６は扁平な矩形箱状に形成されており、前面の下部に呼出部２５ａが配設されている。
【００１６】
親機１から子機２への給電電圧（直流電圧）は、子機２が通話状態でないときはシステムの低消費電力化を図るために相対的に低い状態とされ、通話状態では相対的に高い状態とされる。以下、給電電圧の低い状態のことを待機給電状態と呼び、給電電圧の高い状態のことを動作給電状態と呼ぶ。子機２においては、待機給電状態にあるときは通話部２２や撮像装置２３並びに通信部２４がスタンバイ状態にあり、呼出釦２５ａが操作されると、呼出部２５は通信部２４をスタンバイ状態から通常状態に復帰させて信号線Ｌｓの線間電圧を待機給電状態よりもさらに低い電圧に低下させることで親機１に呼出信号を伝送する。そして、呼出信号を受信した親機１が給電電圧を待機給電状態から動作給電状態に移行すると、子機２の通話部２２及び撮像装置２３がスタンバイ状態から通常状態に復帰し、撮像装置２３から出力される映像信号を信号線Ｌｓを介して親機１に送信する。
【００１７】
一方、親機１は、マイクロホン１０並びにスピーカ１１と、マイクロホン１０から出力する音声信号を符号化し且つ相対的に低い周波数帯域でディジタル変調するとともに信号線Ｌｓを介して伝送される変調された音声信号をディジタル復調し且つ復号してスピーカ１１から音声を鳴動させる通話部１２と、信号線Ｌｓを介して子機２との間で音声信号を送受信するとともに映像信号を受信し且つ受信した映像信号をディジタル復調し且つ復号して表示装置１３に出力する通信部１４と、タクトスイッチのようなメカニカルなスイッチからなる複数の操作スイッチを有し操作スイッチが操作されることによって操作入力を受け付ける操作部１５と、後述する各種のメッセージを記憶するメッセージ記憶部１６と、ＣＰＵを主構成要素として各部を制御する制御部１７と、これら各部を収納するハウジング１８とを備えている。
【００１８】
制御部１７には在宅モードと留守モードの２つの動作モードがあり、操作部１５が有する留守設定用の操作スイッチ１５ｅが操作される毎に在宅モードと留守モードを択一的に切り替えるようになっている。また留守モードにおける制御部１７は、子機２から受け取る映像（画像データ）に対して顔検出処理を実行する。顔検出処理とは、人の顔の特徴部分である目や鼻及び口などの特徴量を１フレーム分の画像データから抽出し、これらの特徴量が抽出された領域を人の顔として検出する処理である。但し、このような顔検出処理については従来周知であるから詳細な説明は省略する。
【００１９】
次に、図３のフローチャートを参照しながら親機１の動作を説明する。親機１の制御部１７は子機２から信号線Ｌｓを介して送信された呼出信号を通信部１４で受信すると（ステップＳ１）、留守モードに設定されているか否かを判断する（ステップＳ２）。そして、留守モードに設定されていない、すなわち、在宅モードに設定されていれば、制御部１７は通話部１２を通してスピーカ１１から呼出音を鳴動させる（ステップＳ３）。但し、このとき制御部１７は子機２に対してメッセージは送信しない。尚、在宅モードで呼出音を鳴動させた後の制御部１７の動作は従来周知であるから説明を省略する。
【００２０】
一方、留守モードに設定されている場合、制御部１７は、子機２から送信される映像信号を通信部１４で復調・復号して得られる画像データに対して顔検出処理を実行する（ステップＳ４）。そして、顔検出処理によって人の顔が検出されれば、制御部１７は留守時用のメッセージをメッセージ記憶部１６から読み出して通信部１４より信号線Ｌｓを介して子機２に送信する（ステップＳ５）。留守時用のメッセージとは、例えば、来訪者に留守であることを通知する内容の音声メッセージである。
【００２１】
顔検出処理によって人の顔が検出されない場合（例えば、来訪者が撮像装置２３の画角外に居る場合や故意に顔を隠している場合など）、制御部１７は防犯用のメッセージをメッセージ記憶部１６から読み出して通信部１４より信号線Ｌｓを介して子機２に送信する（ステップＳ６）。防犯用のメッセージとは、不審者と考えられる来訪者を威嚇する音声メッセージ（例えば、「防犯警戒中です。」など）である。
【００２２】
このように親機１の制御部１７は、留守モードにおいて顔検出手段（制御部１７）が人の顔を検出する場合と検出しない場合とで互いに異なるメッセージ（留守時用と防犯用の２種類のメッセージ）を子機２に対して送信するから、上述したように、人の顔が検出された場合は留守であることを通知するメッセージを子機２のスピーカ２１から鳴動するが、人の顔が検出されない場合は呼出釦２５ａの操作者（来訪者）を不審者とみなして相手を威嚇するようなメッセージを子機２のスピーカ２１から鳴動すれば、防犯性を向上しつつ来訪者に留守を知らせることができる。
【００２３】
尚、本実施形態では来訪者を不審者とみなした場合（顔検出処理によって人の顔が検出されなかった場合）に制御部１７が防犯用のメッセージを子機２に送信するようにしているが、防犯用や留守時用を含めて一切のメッセージを送信しないようにしても構わない。
【符号の説明】
【００２４】
１  インターホン親機
２  インターホン子機
１３  表示装置
１７  制御部（制御手段，顔検出手段）
２３  撮像装置
２５  呼出部（呼出手段）
【図１】
2011035727.tif 000003
【図２】
2011035727.tif 000004
【図３】
2011035727.tif 000005